(57)【要約】【課題】  大きさや種類を異にするペットに使用することが可能であり、ペットネームを自由に選択して体裁よく表示することを可能とする。【解決手段】  ベルト本体２と、このベルト本体２の外周部に結合手段４により結合されるネームベルト３と、このネームベルト３に組み合わされる嵌合部２１とロゴ部２０とからなる個別ロゴ体５とから構成される。所定のロゴを表示する個別ロゴ体５を選択してペットネームのスペル順に並べてネームベルト３に組み合わせた組合せベルト体２４を、結合手段４によりベルト本体２と一体化する。【選択図】  図１
0003125611.tif 000002
【実用新案登録請求の範囲】
【請求項１】
ペットの首に巻かれて装着されるベルト本体と、  前記ベルト本体の外周部に重ね合わされ、着脱自在な結合手段により両端部を結合されて組み付けられるネームベルトと、  前記ネームベルトを嵌挿する嵌合部と、この嵌合部と一体に形成された所定のロゴからなるロゴ部とから構成された個別ロゴ体とから構成され、  ペットのペットネームに対応して選択した複数個の前記個別ロゴ体を前記ペットネームのスペル順に並べて前記嵌合部に前記ネームベルトを嵌挿することにより前記ペットネームを表示した組合せベルト体を構成し、この組合せベルト体を前記結合手段により前記ベルト本体に結合して構成したことを特徴とするペット用首輪。
【請求項２】
前記ベルト体が、長さ方向に伸縮自在に構成されることを特徴とする請求項１に記載のペット用首輪。
【請求項３】
前記結合手段が、嵌合軸部の先端側に抜止めフランジ部が周回りに一体に形成された第１結合体と、前記嵌合軸部が嵌合される嵌合筒部の先端側に抜止めフランジ部が周回りに一体に形成された第２結合体とから構成され、  前記第１結合体の前記嵌合軸部を、前記ネームベルトの外側からその両端部の近傍に位置して形成した第２取付孔と前記ベルト本体側にこれら第１取付孔に相対して形成した第２取付孔とに貫通させて前記ベルト本体の内面側において前記第２結合体の嵌合筒部に嵌合して一体化することにより、前記ネームベルトを前記ベルト本体の外周部に重ね合わせた状態で着脱自在に組み付けることを特徴とする請求項１又は請求項２に記載のペット用首輪。
【請求項４】
前記ネームベルトを嵌挿する嵌合部と、この嵌合部と一体に形成された飾りマーク部とから構成された飾りブロック体を備え、  前記飾りブロック体が、前記ネームベルトに対してその長さに合わせて前記個別ロゴ体とともに適宜組み合わされて前記組合せベルト体を構成することを特徴とする請求項１乃至請求項３のいずれか１項に記載のペット用首輪。
【考案の詳細な説明】
【技術分野】
【０００１】
本考案は、犬や猫等のペットの首輪に関し、さらに詳しくはペットネームの表示機能を有するペット用首輪に関する。
【背景技術】
【０００２】
犬や猫等のペットには、野良とを識別するとともに勝手な動きをコントロールするために首輪が取り付けられ、さらにこの首輪に飾り機能や飼い主表示機能或いはノミ取り機能等の機能も付加したものが取り付けられる。従来の首輪は、例えばベルトの表面にペットネームを直接書き込んだり、名札等を取り付けることにより対応していた。かかる首輪においては、ペットを野外等で遊ばせて汚れてしったことから洗ったりした場合に書き込んだペットネーム消えてしまったり、取り付けた名札等が煩わしいことから取り外されてしまうといった問題があった。
特許文献１には、首輪本体の紐状部位に外部から透視可能な筒体を嵌合し、この筒体の内部の紐状部位にペット名・飼い主氏名・住所・電話番号等の表示事項を記載する表示部材を巻き付けるとともに、筒体の両端部にキャップを嵌合した首輪が開示されている。かかる首輪においては、筒体により外部と遮蔽された表示部材が、汚損したり記載事項が消えたりすることなくペットに違和感を与えず長期間に亘って使用することが可能である。
【特許文献１】実公平６−３６６９０号公報
【考案の開示】
【考案が解決しようとする課題】
【０００３】
ところで、ペット用首輪は、飼い主にとってペットへの愛情を表現する極めて重要なアイテムであり、自他識別機能が発揮されるオリジナリティの高いものが望まれている。従来のペット用首輪は、上述した特許文献１を含み、ペットの大きさや種類に合わせた専用のものとして提供されており、せっかく気に入ったものがあってもサイズが異なるために使用することができないといった問題があった。
【０００４】
また、従来のペット用首輪においては、飼い主自らが表示片等にペットネームを書き込まなければならないが、例えば小型ペット用のように表示片等が小さい場合に見栄え等を損なわずにペットネームの書き込みを行うことが極めて困難であり煩わしいといった問題があった。従来のペット用首輪においては、本来の機能とともに、デザインや色柄等の装飾性とペットネームの表示の実用性とを兼ね備えたものが提供されていなかった。
したがって、本考案は、犬や猫等の大きさや種類を異にするペットに使用することが可能であり、ペットネームを自由に選択して体裁よく表示することを可能とするペット用首輪を提供することを目的に提案されたものである。
【課題を解決するための手段】
【０００５】
上述した目的を達成する本考案にかかるペット用首輪は、ペットの首に巻かれて装着されるベルト本体と、このベルト本体の外周部に重ね合わされて着脱自在な結合手段により両端部を結合されるネームベルトと、このネームベルトを嵌挿する嵌合部とこの嵌合部と一体に形成された所定のロゴからなるロゴ部とから構成された個別ロゴ体とから構成される。本考案にかかるペット用首輪においては、ペットに付けたペットネームのスペルに対応したロゴを表示する個別ロゴ体が選択されてペットネームのスペル順に並べられる。ペット用首輪においては、選択された複数個の個別ロゴ体をペットネームのスペル順に並べた状態でそれぞれの嵌合部にネームベルトを嵌挿することによりペットネームを表示した組合せベルト体を構成する。ペット用首輪においては、この組合せベルト体を結合手段によりベルト本体の外周部に結合することによりペットネームを表示した首輪を構成し、ペットの首等に取り付けられる。
【０００６】
また、ペット用首輪は、ベルト体が長を調整自在に構成されることにより、大きさや種類を異にすることで首の太さを異にするあらゆるペットへの使用を可能とする。
さらに、ペット用首輪は、結合手段が、嵌合軸部の先端側に抜止めフランジ部を周回りに一体に形成した第１結合体と、この第１結合体の嵌合軸部が嵌合される嵌合筒部の先端側に抜止めフランジ部を周回りに一体に形成した第２結合体とから構成される。ペット用首輪は、ベルト体にネームベルトの長さよりもやや小さな間隔を以って離間する少なくとも一対の第１取付孔を形成するとともに、これら第１取付孔にそれぞれ対応してネームベルト側に少なくとも一対の取付孔を形成する。ペット用首輪は、第１結合体がその嵌合軸部をネームベルトの外側から第２取付孔を介してベルト本体側の第１取付孔に貫通され、ベルト本体の内面側において第２結合体の嵌合筒部に嵌合して一体化することにより、ベルト本体の外周部にネームベルトを重ね合わせた状態で組み付ける。
【０００７】
また、ペット用首輪は、ネームベルトを嵌挿する嵌合部と、この嵌合部と一体に形成された飾りマーク部とから構成された飾りブロック体を備え、この飾りブロック体をネームベルトに対して個別ロゴ体とともに適宜組み合わされて組合せベルト体を構成する。ペット用首輪においては、適宜の飾りブロック体を選択して個別ロゴ体と組み合わせることにより、装飾特性やオリジナリティ特性等の向上が図られるようになるとともに、ネームベルトの長さとロゴ数の差とにより組合せベルト体に生じるロゴ間の間延びや移動間隙が調整される。
【考案の効果】
【０００８】
本考案にかかるペット用首輪によれば、個別ロゴ体を選択してネームベルトに組み合わせることにより所望のペットネームを表示する組合せベルト体を構成するとともに、結合手段によりベルト本体と一体化して構成することから、あらゆる大きさや種類を異にするペットに使用することが可能であり汎用性の向上が図られ、ペットネームの書き込み等の手間を不要として当該ペットの固有の首輪を簡易に製作することが可能となる。ペット用首輪によれば、ペットネームが体裁よく表示されるとともに、ペットに違和感を生じさせることも無くまた手入れ等も簡単に行うことが可能であるとともに表示機能が恒久的に保持される。ペット用首輪によれば、複数種類の個別ロゴ体を組み替えることにより、異なる雰囲気の表示を行うことが可能である。
【考案を実施するための最良の形態】
【０００９】
以下、本考案の実施の形態として示したペット用首輪１（以下、首輪１と略称する。）について、図面を参照して詳細に説明する。首輪１は、ペットネームが「ＴＡＭＡ」の愛猫用に造られた首輪であり、前記「ＴＡＭＡ」が表示されて首に取り付けられることにより飼い猫であることを識別する。首輪１は、猫用として用いられるばかりでなくほぼ同サイズの小型犬用としても兼用可能であり、詳細を後述するようにそれぞれに付けられたペットネームが表示される。なお、首輪１は、例えば飼い犬の首に取り付けることによりそのペットネームの表示とともに勝手な動きをコントロールする等の首輪本来の機能も奏することは勿論である。
【００１０】
首輪１は、図１乃至図３に示すようにベルト本体２と、ネームベルト３と、少なくとも一対のスナップホック４Ａ、４Ｂ（以下、個別に説明する場合を除いてスナップホック４と総称する。）と、ネームベルト３に組み合わされて「ＴＡＭＡ」を表示する４個の個別ロゴ体５Ａ〜５Ｄ（以下、個別に説明する場合を除いて個別ロゴ体５と総称する。）と、「ＴＡＭＡ」の両側に位置してネームベルト３に組み合わされる２個の飾りブロック体６Ａ、６Ｂ（以下、個別に説明する場合を除いて飾りブロック体６と総称する。）とから構成される。なお、首輪１は、ペットネームのスペルに合わせて所定のロゴを有する個数の個別ロゴ体５が選択されるとともに、適宜の個数の飾りブロック体６が組み合わされる。
ベルト本体２は、従来の一般的な首輪とほぼ同等品であり、各種本皮ベルト、人工皮革ベルト、繊維材ベルト或いは金属ベルト等により形成される。ベルト本体２は、親側部７と、この親側部７に組み合わされる剣先部８と、親側部７の先端側に設けられる尾錠９及び遊び革１０等により構成される。ベルト本体２は、親側部７と剣先部８の全長をペットの首にやや余裕を以って巻き付けるようにして取り付けた後に、親側部７の尾錠９に設けたつく棒１１を剣先部８の先端側から基端側に向かって形成した複数個の小孔８Ａを選択して嵌挿することにより図１に示した輪の状態として、ペットの首に取り付けられる。
【００１１】
ベルト本体２は、基本構成としてペットの大きさや種類により幅や長さ或いは厚み等の仕様を異にしたものが提供されるが、例えばゴム等の弾性材や網目に織った繊維材等により形成することによりある程度の範囲で互換使用が可能とされるように構成してもよい。また、ベルト本体２は、例えば剣先部８に折返し部位と、この折返し部位に組み合わせた略日字状のバックルとからなる長さ調整構造を備え、全体の長さ調整が行われるようにしてもよい。さらに、ベルト本体２は、上述した構造ばかりでなく、従来一般的に提供されている種々の構造を以って構成するようにしてもよいことは勿論である。
ベルト本体２は、上述したようにもっぱら力の弱い猫用或いは小型犬用として用いられることから、上述した尾錠９に代えて例えば摩擦力により結合状態が保持されるバックル型或いは体毛と直接触れないようにしたテープファスナ等の結合構造を用いることも可能である。ベルト本体２は、首輪１が特に力の強い中型犬以上用として用いられる場合に、結合構造として大きな機械的強度で結合することが可能な上述した尾錠９を用いることが好ましい。ベルト本体２は、親側部７と剣先部８とが適宜の結合構造により、取り外し自在に組み合わされるように構成してもよい。かかるベルト本体２は、適宜の材質、デザイン等の親側部７と剣先部８を組み合わせて構成することが可能である。
【００１２】
ベルト本体２には、図３及び図４に示すように例えば剣先部８側に長さ方向に所定の間隔を以って一対の第１取付孔１２Ａ、１２Ｂ（以下、個別に説明する場合を除いて第１取付孔１２と総称する。）が形成されている。ベルト本体２は、これら第１取付孔１２に、後述するようにネームベルト３を一体に組み合わせるスナップホック４を取り付ける。ベルト本体２は、親側部７や剣先部８の外側面に装飾用或いは補強用の模様や飾り鋲等を設けるようにしてもよいが、少なくともネームベルト３の組合せ部位を構成する第１取付孔１２の間の領域を平坦な状態で構成することが好ましい。
ネームベルト３は、上述したベルト本体２と同様に各種本皮ベルト、人工皮革ベルト、繊維材ベルト或いは金属ベルト等によりベルト本体２と略同幅でありかつ第１取付孔１２の間の領域よりもやや大きな長さを有して形成される。ネームベルト３は、ベルト本体２と同一材質或いは同一色調等により形成される必要は無く、ペットの飼い主が好みに応じて選択することが可能である。ネームベルト３にも、図３及び図４に示すように長さ方向の両端部の近傍に位置して上述したベルト本体２側の第１取付孔１２にそれぞれ対応して一対の第２取付孔１３Ａ、１３Ｂ（以下、個別に説明する場合を除いて第２取付孔１３と総称する。）が形成されている。
【００１３】
ネームベルト３は、第２取付孔１３を相対する第１取付孔１２に位置合わせしてベルト本体２に重ね合わせた状態で、その外側からスナップホック４を取り付けることによりベルト本体２と一体化される。スナップホック４は、衣服やベルト等の結合部材として一般的に用いられているものと同等品が用いられ、図４に示すように嵌合側の第１結合体１４と、受け側の第２結合体１５とから構成される。
第１結合体１４は、先端近傍の外周部に係合凹部１６Ａが形成された棒状の嵌合軸部１６と、この嵌合軸部１６の基端部に周回りに一体に突出して形成された抜止めフランジ部１７とから構成される。第１結合体１４は、嵌合軸部１６が第１取付孔１２や第２取付孔１３の内径とほぼ等しい外径とベルト本体２とネームベルト３の厚みよりもやや長軸に形成されるとともに、抜止めフランジ部１７が第１取付孔１２や第２取付孔１３の内径よりも大径でかつ引っ掛かり等が生じないように滑らかな半円形に形成される。
【００１４】
第２結合体１５は、上述した第１結合体１４側の嵌合軸部１６が嵌合する嵌合筒部１８と、この嵌合筒部１８の先端側に周回りに一体に突出して形成された抜止めフランジ部１９とから構成される。第２結合体１５には、詳細を省略するが嵌合筒部１８内に突出して嵌合された第１結合体１４側の嵌合軸部１６に形成された係合凹部１６Ａと係合する係合凸部１８Ａが形成されている。第２結合体１も、抜止めフランジ部１９が、嵌合筒部１８よりも大径でかつ引っ掛かり等が生じないように滑らかな半円形に形成される。
スナップホック４は、図４に示すように、後述するように各個別ロゴ体５を組み合わせた後に第２取付孔１３を相対する第１取付孔１２に位置合わせしてベルト本体２に重ね合わされたネームベルト３を、ベルト本体２に一体化する。スナップホック４は、第１結合体１４が嵌合軸部１６をネームベルト３に対して第２取付孔１３を介してベルト本体２の第１取付孔１２に貫通される。スナップホック４は、ベルト本体２の内側面側において嵌合筒部１８を第１取付孔１２に臨ませて配置した第２結合体１５に対して、第１結合体１４が嵌合軸部１６を嵌合筒部１８に嵌合される。
【００１５】
スナップホック４は、これにより図３に示すように第１結合体１４の抜止めフランジ部１７と第２結合体１５の抜止めフランジ部１９がベルト本体２とネームベルト３を挟み込んで、これらを重ね合わせた状態で一体化する。スナップホック４は、例えば第１結合体１４の抜止めフランジ部１７とベルト本体２との間に適宜の治具を差し込み、強く押し上げることにより嵌合軸部１６と嵌合筒部１８の嵌合状態を解除して第１結合体１４と第２結合体１５との結合状態が解除されて、ベルト本体２に対してネームベルト３の取り外しを可能とする。スナップホック４は、上述したように第１結合体１４側の抜止めフランジ部１７や第２結合体１５側の抜止めフランジ部１９が滑らかな半円形に形成されることにより、愛猫の首に取り付けた状態で当該愛猫や飼い主を傷付けるといった虞も無い。
なお、首輪１は、ベルト本体２に対してネームベルト３を着脱する着脱手段として上述したスナップホック４に限定されないことは勿論である。首輪１においては、例えば第２結合体１５がベルト本体２に固定される構造であってもよく、また後述するように個別ロゴ体５を組み合わせた後に第１結合体１４と第２結合体１５にかしめ処理を施してネームベルト３をベルト本体２に固定するようにしてもよい。首輪１においては、さらに適宜の結合手段を用いるようにしてもよい。
【００１６】
首輪１においては、上述したようにネームベルト３に「ＴＡＭＡ」を表示する４個の個別ロゴ体５が組み合わされるとともに、その両側に飾りブロック体６が組み合わされる。個別ロゴ体５は、例えば硬質の合成樹脂材や砲金等を素材としてネームベルト３の仕様に合わせた外形仕様を以って一体に形成され、必要に応じて金属めっき等の表面処理が施される。個別ロゴ体５は、例えば図５に代表例として「Ｔ」を表示する個別ロゴ体５を示すように、ロゴ部２０と、このロゴ部２０の背面側に一体に形成され後述するようにネームベルト３を嵌挿する嵌合部２１とから構成される。
なお、個別ロゴ体５は、高級品仕様として金や銀或いはプラチナ等の貴金属を素材として特注で形成されるようにしてもよく、また図５に示すようにロゴ部２０の表面に象眼２２による適宜の装飾を施すようにしてもよい。個別ロゴ体５は、ペットに首輪１の違和感や負担を与えないように、所定の機械的強度を保持しながら軽量かつ薄型に形成することが好ましい。
【００１７】
個別ロゴ体５は、ロゴ部２０がアルファベットの１文字を表示するように形成されており、ネームベルト３の幅とほぼ同等の高さを有するとともに所定の機械的強度を保持する厚みを以って形成される。個別ロゴ体５は、愛猫のペットネームを表示することを主目的とすることからロゴ部２０が第三者でも識別を可能とする見易いロゴで形成することが好ましいが、例えば装飾性やオリジナル性を強調するために装飾ロゴで形成するようにしてもよい。個別ロゴ体５は、嵌合部２１がロゴ部２０の背面側に一体に形成されて、ロゴ部２０と共同して全体が枠状とされることにより内部にネームベルト３の断面寸法とほぼ同等の開口寸法を有する嵌合空間部２３を構成する。
なお、個別ロゴ体５は、上述したようにロゴ部２０と嵌合部２１とにより全体を枠状に形成したが、例えば嵌合部２１の一部を切り欠くことにより拡げてネームベルト３を側方から嵌合させることを可能にするようにしてもよい。個別ロゴ体５は、ロゴ部２０と嵌合部２１を一体に形成するようにしたが、例えばロゴ部と嵌合部とを別部材により形成し、嵌合部材に対してロゴ部材を取り付けてロゴ体を構成するようにしてもよい。かかるロゴ体は、嵌合部材に台座部を形成し、この台座部に対して接着やねじ止め等の適宜の取付構造によりロゴ部材を取り付けられるようにする。また、かかるロゴ体は、例えば嵌合部材にやや大型の台座部が形成され、この台座部に対して複数のロゴ部材が取り付けられるようにしてもよい。
【００１８】
以上のように構成される個別ロゴ体５は、例えばペットショップ等において予め全てのロゴを表示するものが用意されており、その中から飼い主等により愛猫のペットネーム、「ＴＡＭＡ」に対応したスペルの個別ロゴ体５Ｔと、個別ロゴ体５Ａと、個別ロゴ体５Ｍと、個別ロゴ体５Ａが選択して揃えられる。各個別ロゴ体５は、ペットネームのスペル順に並べられた状態で、一方側からそれぞれの嵌合空間部２３に貫通させてネームベルト３が嵌挿されることにより、図１及び図２に示すようにペットネームを表示した組合せベルト体２４を構成する。
個別ロゴ体５は、同一ロゴであるが色調や形状等を異にする複数種が用意されており、これらを適宜選択することにより異なる雰囲気の「ＴＡＭＡ」を表示することが可能とされる。個別ロゴ体５は、上述したようにベルト本体２に対してネームベルト３がスナップフック４を介して着脱されることから、例えばペットに着せた洋服の雰囲気に合わせて異なる「ＴＡＭＡ」の表示を行うことが可能である。また、個別ロゴ体５は、何らかの理由により一部が破損してしまった場合でも、交換が可能である。
【００１９】
首輪１においては、ある程度の個数の個別ロゴ体５を組み合わせることを可能とするために、ネームベルト３が上述したように所定の長さを有して形成される。したがって、組合せベルト体２４には、個別ロゴ体５の組合せ数により余裕が生じることから、ネームベルト３に対して個別ロゴ体５群の両側等に飾りブロック体５が適宜組み合わされる。
飾りブロック体５も、基本的な構成を上述した個別ロゴ体５と同様し、例えば硬質の合成樹脂材や砲金等を素材として一体に形成され、ロゴ部２０に対応する飾りマーク部２５と、嵌合部２１に対応する飾り嵌合部２６とから構成される。飾りブロック体５も、高級品仕様として金や銀或いはプラチナ等の貴金属を素材として特注で形成されたものが提供される。飾りブロック体５は、飾りマーク部２５が、ネームベルト３の幅とほぼ同等の高さを有するとともに所定の機械的強度を保持する厚みを以って形成される。飾りブロック体５は、もっぱら装飾性やオリジナル性を強調するために用いられることから、飾りマーク部２５が適宜の図柄や模様等が形成されるとともに金属めっき等の表面処理或いは象眼等による適宜の装飾が施され、さらに適宜の形状に形成される。
飾りブロック体５は、上述したようにペットネームのスペル順に並べられた個別ロゴ体５とネームベルト３の空きスペースとに合わせ、適宜の個数と飾りマーク部２５が選択されて組み合わされる。飾りブロック体５も、上述した各個別ロゴ体５の嵌合空間部２３にネームベルト３を嵌挿させる際に、このネームベルト３が嵌合空間部に嵌挿されることにより各個別ロゴ体５とともに組合せベルト体２４を構成する。
【００２０】
首輪１においては、ペットのサイズに合わせた仕様のベルト本体２が選択され、スナップフック４を介してネームベルト３が取り外される。首輪１においては、ペットのペットネーム、すなわち「ＴＡＭＡ」に対応したスペルの４個の個別ロゴ体５Ｔと、個別ロゴ体５Ａと、個別ロゴ体５Ｍと、個別ロゴ体５Ａが選択される。首輪１においては、好みに応じて適宜の個数の飾りブロック体５が選択され、各個別ロゴ体５と組み合わされる。
首輪１においては、各個別ロゴ体５と飾りブロック体５がそれぞれの嵌合部２１と飾り嵌合部２６にネームベルト３が嵌挿されて「ＴＡＭＡ」を表示した組合せベルト体２４が構成される。首輪１においては、組合せベルト体２４が、ネームベルト３側の第２取付孔１３をベルト本体２側の相対する第１取付孔１２に位置合わせして、ネームベルト３をベルト本体２に重ね合わせる。首輪１においては、スナップホック４が、第１結合体１４の嵌合軸部１６をネームベルト３に対して第２取付孔１３を介してベルト本体２の第１取付孔１２に貫通させる。首輪１においては、スナップホック４が、貫通された第１結合体１４の嵌合軸部１６とベルト本体２の内側面側において第１取付孔１２に臨ませて配置された第２結合体１５の嵌合筒部１８が嵌合されることにより、組合せベルト体２４をベルト本体２の外側部に一体化する。
【００２１】
首輪１においては、図１及び図２に示すようにネームベルト３に組み合わされた各個別ロゴ体５により愛猫のペットネーム「ＴＡＭＡ」が表示される。首輪１においては、適宜に配置されて組み合わされた飾りブロック体６により、装飾特性やオリジナリティ特性等の向上が図られるようになるとともに、ネームベルト３の長さとロゴ数の差とにより組合せベルト体２４に生じる各個別ロゴ体５間の間延びや移動間隙が調整される。
首輪１においては、組合せベルト体２４側を外側にして愛猫の首にやや余裕を以って巻き付けるようにして取り付けられる。首輪１においては、この状態でベルト本体２が、親側部７の尾錠９に設けたつく棒１１を剣先部８の先端側から基端側に向かって形成した複数個の小孔８Ａを選択して嵌挿することにより、愛猫の首に取り付けられて組合せベルト体２４によりペットネーム「ＴＡＭＡ」を表示する。
【００２２】
首輪１においては、雰囲気合わせ等のために、愛猫の首から取り外されて、組合せベルト体２４により表示されたペットネーム「ＴＡＭＡ」を交換することが可能である。首輪１においては、小孔８Ａからつく棒１１を抜き出してベルト本体２が愛猫の首から取り外される。首輪１においては、各スナップホック４が第１結合体１４の嵌合軸部１６と第２結合体１５の嵌合筒部１８の嵌合状態を解除されることにより、ベルト本体２から組合せベルト体２４が取り外される。首輪１においては、取り外されたネームベルト３に対して個別ロゴ体５や飾りブロック体６を適宜交換した後に、上述した操作により新たに構成した組合せベルト体２４を愛猫の首に取り付ける。
【図面の簡単な説明】
【００２３】
【図１】本考案の実施の形態として示すペットネームが「ＴＡＭＡ」の猫用首輪の斜視図である。
【図２】同首輪の正面図である。
【図３】同首輪の側面図である。
【図４】同首輪のベルト本体とネームベルトの結合部位を示す要部断面図である。
【図５】同首輪に用いられる個別ロゴ体の斜視図である。
【図６】同首輪に用いられる飾りブロック体の背面側からの斜視図である。
【符号の説明】
【００２４】
１      ペット用首輪
２      ベルト本体
３      ネームベルト
４      スナップフック（結合手段）
５      個別ロゴ体
６      飾りブロック体
９      尾錠
１２    第１取付孔
１３    第２取付孔
１４    第１結合体
１５    第２結合体
２０    ロゴ部
２１    嵌合部
２２    象眼
２３    嵌合空間部
２４    組合せベルト体
２５    飾りマーク部
２６    飾り嵌合部
【図１】
0003125611.tif 000003
【図２】
0003125611.tif 000004
【図３】
0003125611.tif 000005
【図４】
0003125611.tif 000006
【図５】
0003125611.tif 000007
【図６】
0003125611.tif 000008
【手続補正書】
【提出日】平成18年7月12日(2006.7.12)
【手続補正１】
【補正対象書類名】実用新案登録請求の範囲
【補正対象項目名】請求項２
【補正方法】変更
【補正の内容】
【請求項２】
前記ベルト本体が、長さ方向に伸縮自在に構成されることを特徴とする請求項１に記載のペット用首輪。
【手続補正２】
【補正対象書類名】明細書
【補正対象項目名】０００６
【補正方法】変更
【補正の内容】
【０００６】
また、ペット用首輪は、ベルト本体の長さを調整自在に構成されることにより、大きさや種類を異にすることで首の太さを異にするあらゆるペットへの使用を可能とする。
さらに、ペット用首輪は、結合手段が、嵌合軸部の先端側に抜止めフランジ部を周回りに一体に形成した第１結合体と、この第１結合体の嵌合軸部が嵌合される嵌合筒部の先端側に抜止めフランジ部を周回りに一体に形成した第２結合体とから構成される。ペット用首輪は、ベルト本体にネームベルトの長さよりもやや小さな間隔を以って離間する少なくとも一対の第１取付孔を形成するとともに、これら第１取付孔にそれぞれ対応してネームベルト側に少なくとも一対の取付孔を形成する。ペット用首輪は、第１結合体がその嵌合軸部をネームベルトの外側から第２取付孔を介してベルト本体側の第１取付孔に貫通され、ベルト本体の内面側において第２結合体の嵌合筒部に嵌合して一体化することにより、ベルト本体の外周部にネームベルトを重ね合わせた状態で組み付ける。